(57)【要約】【課題】  既存のディーゼルエンジンにおいてＣＮＧ等の気体燃料を使用可能とする。【解決手段】  第１容量の燃焼室を有する圧縮着火内燃機関のシリンダヘッドに設けられた軽油インジェクタを挿入するための貫通孔に挿入可能なインジェクタユニットであり、第１容量よりも小さい第２容量の燃焼室用に設計された気体燃料インジェクタと、気体燃料を着火する着火手段と、気体燃料インジェクタと着火手段を収納する収納部材とを有し、気体燃料インジェクタからの噴射時間が、第２容量の燃焼室で使用される場合よりも長く設定される。【選択図】図３
2015186682.tif 000002
【特許請求の範囲】
【請求項１】
第１容量の燃焼室を有する圧縮着火内燃機関のシリンダヘッドに設けられた軽油インジェクタを挿入するための貫通孔に挿入可能なインジェクタユニットであって、
第１容量よりも小さい第２容量の燃焼室用に設計された気体燃料インジェクタと、
気体燃料を着火する着火手段と、
気体燃料インジェクタと着火手段を収納する収納部材とを有し、
気体燃料インジェクタからの噴射時間が、第２容量の燃焼室で使用される場合よりも長く設定されている
ことを特徴とするインジェクタユニット。
【請求項２】
前記着火手段は、ケース部と、中心電極と、ケース部と中心電極を絶縁する絶縁体を有し、
中心電極は、マイクロ波を入力する第１電極と、第１電極に容量結合する第２電極と、放電を生じさせる放電部を含む第３電極を有し、
第１電極と第２電極を用いてマイクロ波のインピーダンス整合を行い、
第２電極とケース部で定まる接地容量、第３電極のコイルリアクタンス成分、及び第３電極とケース部で定まる放電容量からなる直列回路がマイクロ波と共振するように構成されることを特徴とする、請求項１記載のインジェクタユニット。
【発明の詳細な説明】
【技術分野】
【０００１】
本発明は、インジェクタユニットに関する。特に、既存のディーゼルエンジンにおいて圧縮天然ガス（ＣＮＧ：Compressed Natural Gas）等の気体燃料を使用可能とするためのインジェクタユニットに関する。
【背景技術】
【０００２】
ディーゼル排ガスを減らすための一手法として、レトロフィット技術がある。レトロフィット技術とは、既存のエンジンに対して部品を変更・追加することによりエンジンの排気性能を改善するものである。例えば、アメリカ合衆国環境保護庁（ＥＰＡ：Environmental Protection Agency）が推奨している（非特許文献１）。【０００３】
また、ディーゼル排ガスを減らす方法として、燃料を軽油からＣＮＧに変更することも有効である。そこで、軽油用インジェクタをＣＮＧ用インジェクタに交換することも考えられる。【０００４】
しかし、ＣＮＧは軽油よりも着火温度が高いので、単にインジェクタを交換するだけでは着火することができない。そこで、軽油をパイロットとして使用するか、点火プラグ等の着火手段を併用することが考えられる（非特許文献２）。前者の例としては特許文献１が、後者の例として特許文献２、３がある。  
【先行技術文献】
【特許文献】
【０００５】
【非特許文献１】http://www.epa.gov/cleandiesel/technologies/index.htm（米国EPAホームページ、平成26年5月30日検索）
【非特許文献２】「高効率大型ガスエンジンを開発」（三井造船技報No.191(2007-6), P.19-25）
【特許文献１】特開２０１２−１４９５３７号公報
【特許文献２】米国公開２０１２−１０３３０２号公報
【特許文献３】米国特許８０９１５２８号公報
【特許文献４】特開２００７−１１３５７０号公報
【特許文献５】国際公開第２０１２／００５２０１号公報
【発明の概要】
【発明が解決しようとする課題】
【０００６】
しかし、特許文献１の構成を採用した場合、自動車に軽油用タンクと天然ガス用タンクの両方を搭載する必要があり、自動車の重量が大きくなったり、メンテナンス負担が増大する。また、軽油の給油と天然ガスの給油の両方を考慮する必要があり、運転手には煩雑である。【０００７】
特許文献２に記載の構成では、吸気マニフォルド側に別途インジェクタを設ける必要があり、インジェクタ挿入用の孔を加工する必要がある。したがって、レトロフィット技術には適さない。【０００８】
特許文献３に記載の構成を採用した場合、マニフォルドに孔を設ける必要は無いが、構造が複雑であり高価なため、レトロフィット技術には適さない。【０００９】
本発明は、かかる点に鑑みてなされたものである。
【課題を解決するための手段】
【００１０】
本発明のある態様は、第１容量の燃焼室を有する圧縮着火内燃機関のシリンダヘッドに設けられた軽油インジェクタを挿入するための貫通孔に挿入可能なインジェクタユニットであって、第１容量よりも小さい第２容量の燃焼室用に設計された気体燃料インジェクタと、気体燃料を着火する着火手段と、気体燃料インジェクタと着火手段を収納する収納部材とを有し、気体燃料インジェクタからの噴射時間が、第２容量の燃焼室で使用される場合よりも長く設定される。
【発明の効果】
【００１１】
本発明のインジェクタユニットによれば、既存のディーゼルエンジンにおいてＣＮＧ等の気体燃料を使用可能とする。
【図面の簡単な説明】
【００１２】
【図１】ディーゼルエンジン１０の断面図であり、軽油インジェクタ２０が挿入された状態を示す図である。
【図２】ディーゼルエンジン１０の断面図であり、軽油インジェクタ２０が挿入されていない状態を示す図である。
【図３】インジェクタユニット１の断面図である。
【図４】図３のＡ−Ａ断面図である。
【図５】図３のＢ−Ｂ断面図である。
【図６】ＣＮＧインジェクタユニット２、イグナイタ３、ケーシング４の外形を示す図である。
【図７】ディーゼルエンジン１０の断面図であり、インジェクタユニット１が挿入された状態を示す図である。
【図８】イグナイタ３の断面正面図である。
【図９】イグナイタ３の等価回路である。
【発明を実施するための形態】
【００１３】
以下、本発明の実施形態を図面に基づいて詳細に説明する。なお、以下の実施形態は、好ましい例示であって、本発明、その適用物、あるいはその用途の範囲を制限することを意図するものではない。
【００１４】
本発明の実施形態に係るインジェクタユニット１の説明を行う前に、インジェクタユニット１が取付けられるディーゼルエンジン１０の構成を先に説明する。
【００１５】
図１及び図２は、圧縮着火内燃機関の一例であるディーゼルエンジン１０の構成を示す断面図である。図１はシリンダヘッド６の貫通孔１１に軽油インジェクタ２０が挿入された状態、図２は軽油インジェクタ２０が挿入されていない状態を示す図である。
【００１６】
これらの図を参照して、ディーゼルエンジン１０は、シリンダヘッド６と、シリンダヘッド６に接合されるシリンダライナ７と、シリンダライナ７に摺接するピストン８を有する。これらの部材により取り囲まれた空間が燃焼室となる。
【００１７】
シリンダヘッド６には、吸気ポートと排気ポートとが設けられている。吸気ポートと燃焼室の境界部には吸気バルブ９Ａが配置される。排気ポートと燃焼室の境界部には排気バルブ９Ｂが配置される。
【００１８】
シリンダヘッド６には、貫通孔１１が設けられている。この貫通孔１１は、本来は軽油を噴射する軽油インジェクタ２０を取付けるための孔である。
【００１９】
次に本実施形態に係るインジェクタユニット１の構成を説明する。図３はインジェクタユニット１の断面図である。図４は、インジェクタユニット１の他の断面であり、図３のＡ−Ａ断面図である。図５は、図３のＢ−Ｂ断面図である。
【００２０】
これらの図を参照して、インジェクタユニット１は、気体燃料の一種であるＣＮＧを噴射するＣＮＧインジェクタ２と、着火手段であるイグナイタ３と、これらを収納するケーシング４からなる。
【００２１】
ケーシング４の外径Ｄ１、ＣＮＧインジェクタ２の外径Ｄ２、イグナイタ３の外径Ｄ３を図６のように定義した場合、一例として、Ｄ１１＝３０ｍｍ、Ｄ１２＝２０ｍｍ、Ｄ２＝１０ｍｍ、Ｄ３＝５ｍｍである。ケーシング４はシリンダヘッド６の貫通孔１１に合致する大きさである。図７に示すようにインジェクタユニット１はシリンダヘッド６にケーシング４ごと挿入することができる。これにより、軽油インジェクタ２０からの交換作業が容易になる。なお、ＣＮＧインジェクタ２、イグナイタ３の放熱の関係上、ケーシング４は熱伝導率の高い金属を採用するのが好ましい。
【００２２】
ディーゼルエンジン１０の燃焼室の容量はピストン８の上下動により変化するが、ピストン８が下死点に達した場合の容量は２リットルである。
【００２３】
ＣＮＧインジェクタ２は、２リットルではなく、０．５リットルの燃焼室用に設計されたものである。２リットル用のＣＮＧインジェクタだと体積が大きいため、イグナイタ３を貫通孔１１に収めることができない。そこで、本実施形態では、このようなインジェクタを採用している。
【００２４】
但し、０．５リットルのエンジンと比較し、２リットルのエンジンでは多くの燃料を要する。単純には４倍程度の燃料が必要になると考えられる。しかし、０．５リットル用インジェクタでは、噴射レートが低いため、通常の噴射時間では２リットルのエンジンの動作に必要な量の燃料を噴射することができない。従って、ＣＮＧインジェクタ２の噴射時間は、通常の噴射時間よりも長い時間に設定される。尚、ＣＮＧインジェクタ２の噴射制御は図示しないＥＣＵ等の制御回路により実行される。
【００２５】
イグナイタ３は、ＣＮＧ燃料を着火するためのものである。上述のように、ＣＮＧは軽油よりも着火温度が高く、単なる圧縮着火では着火できない。そこで、イグナイタ３が設けられている。イグナイタ３としては、スパークプラグ、コロナ放電プラグ（例えばボルグワーナー社のEcoFlash（米国登録商標））、又はマイクロ波放電プラグ等を用いることができる。
【００２６】
マイクロ波放電プラグは、本願の出願人が開発した、２．４５ＧＨｚ帯のマイクロ波の共振構造によるプラグである。このプラグの構成については、本出願人による日本特許出願（特願２０１４−１１１７５５、及び特願２０１３−１７１７８１）でも説明されているが、本願でも簡単に説明する。
【００２７】
図８を参照して、マイクロ波放電プラグ（イグナイタ３）は、大きくはケース５１、中心電極、及びケース部と中心電極の間に設けられ、これらを絶縁する絶縁体５９からなる。ケース５１の先端部には接地電極５１ａが形成される。中心電極の先端部には放電電極５５ａが形成される。放電電極５５ａと接地電極５１ａ間には電位差を発生させ、これにより放電をさせるようにしている。
【００２８】
中心電極は入力側電極５３、結合部電極５４、及び出力側電極５５に分かれる。
【００２９】
出力側電極５５は、放電電極５５ａ、軸部５５ｂを有しており、結合部電極５４と電気的に結合される。結合部電極５４は有底の筒状である。入力側電極５３は、インジェクタユニット１の外部に設けられた発振回路ＭＷに入力端５２を介して電気的に接続される。
【００３０】
図９は、イグナイタ３の等価回路を示す図である。発振回路ＭＷから入力される交流信号（電圧Ｖ１、周波数２．４５ＧＨｚ）は容量Ｃ１を介して、容量Ｃ３、リアクタンスＬ、容量Ｃ２からなる直列共振回路に接続される（尚、ここではＣ１はＣ２、Ｃ３に比して十分に小さいと仮定している）。また、容量Ｃ３と並列に放電部が設けられる。
【００３１】
ここで、Ｃ１は結合容量に相当し、結合部電極５４及び入力側電極５３の形状、間隙により決まり、発振回路とイグナイタ３のインピーダンス整合を行うための部分である。入力側電極５３は軸芯方向に移動可能であり、これによりインピーダンスの調整ができる。
【００３２】
容量Ｃ２は、結合部電極５４とケース５１によって形成される接地容量である。これは電極５４の形状、ケース５１との間隙及び絶縁体５９ｃの誘電率によって決まる。
【００３３】
リアクタンスＬは、出力側電極５５の軸部５５ｂのコイル成分に相当する。
【００３４】
容量Ｃ３は、出力側電極５５とケース５１によって形成される放電容量である。これは、放電電極５５ａ及び軸部５５ｂの形状、出力側電極５５とケース５１との間隙、絶縁体５９ｃの厚みや誘電率等で決まる。Ｃ３＞＞Ｃ２に設計すれば、容量Ｃ３の両端の電位差をＶ１よりも十分に大きくすることができ、その結果、放電部（放電電極５５ａと接地電極５１ａ間のギャップ）に高電位を発生させることができる。
【００３５】
上述のように、結合容量Ｃ１が十分に小さいと看做せる場合、容量Ｃ３、リアクタンスＬ、容量Ｃ２は直列共振回路をなし、共振周波数ｆは数式１で表現できる。
【数１】
2015186682.tif 000003
（但し、
2015186682.tif 000004
）
【００３６】
つまり、ｆ＝２．４５ＧＨｚとした場合に、数式１の関係を満たすような放電容量Ｃ３、コイルリアクタンスＬ、及び接地容量Ｃ２となるようにイグナイタ３は設計される。
【００３７】
また、イグナイタ３は、上記構成を採用することにより、コンパクトにすることができる。
【００３８】
また、上述のようにイグナイタ３では放電電極と接地電極間に高電圧が発生し、高電圧により放電が生じる。この放電により、その近辺のガス分子から電子が放出されて非平衡プラズマが生成され、燃料が点火しやすくなる。このようにしてイグナイタ３は着火手段として機能する。
【００３９】
以上、本発明の実施形態について説明した。本発明の範囲はあくまでも特許請求の範囲に記載された発明に基づいて定められるものであり、上記実施形態に限定されるべきものではない。
【符号の説明】
【００４０】
１    インジェクタユニット
２    インジェクタ
３    イグナイタ
４    ケーシング
６    シリンダヘッド
７    シリンダライナ
８    ピストン
９Ａ  吸気バルブ
９Ｂ  排気バルブ
１０  ディーゼルエンジン
１１  貫通孔
【図１】
2015186682.tif 000005
【図２】
2015186682.tif 000006
【図３】
2015186682.tif 000007
【図４】
2015186682.tif 000008
【図５】
2015186682.tif 000009
【図６】
2015186682.tif 000010
【図７】
2015186682.tif 000011
【図８】
2015186682.tif 000012
【図９】
2015186682.tif 000013
【国際調査報告】
2015186682.tif 000014
2015186682.tif 000015
2015186682.tif 000016
2015186682.tif 000017